(57)【要約】【課題】情報が真正であるかどうかの真贋判定が可能で、不正行為の痕跡を残さずに改竄することが困難で、偽造や改竄の誘因となりにくい情報記録体、間接転写記録方式に適した熱転写媒体および情報記録体の製造方法を提供する。【解決手段】Ｃ、Ｍ、Ｙのインキ層で形成された第１画像形成部１０、Ｂｋのインキ層で形成された文字情報形成部１１、光散乱層５、ＩＲブラック層ＩＲ１、Ｃ、Ｍ、Ｙのインキ層で形成された第２画像形成部２８、Ｂｋのインキ層で形成された個別情報を含むセキュリティパターンとＩＲブラック層による該セキュリティパターンのネガパターンとが組み合わされた隠蔽情報層２９、が表面側から基材側に順次積層されたセキュリティ形成部１２、前記各部を覆うオーバレイ層４、が基材２０上に設けられている。【選択図】図７
2020199681.tif 000002
【特許請求の範囲】
【請求項１】
Ｃ、Ｍ、Ｙのインキ層で形成された第１画像形成部、
Ｂｋのインキ層で形成された文字情報形成部、
光散乱層、ＩＲブラック層、Ｃ、Ｍ、Ｙのインキ層で形成された第２画像形成部、Ｂｋのインキ層で形成された個別情報を含むセキュリティパターンとＩＲブラック層による該セキュリティパターンのネガパターンとが組み合わされた隠蔽情報層、が表面側から基材側に順次積層されたセキュリティ形成部、
前記各部を覆うオーバレイ層、
が基材上に設けられていることを特徴とする情報記録体。
【請求項２】
支持体上にオーバレイ層が剥離可能に設けられ、該オーバレイ層上の一部分に、共に熱転写性を有する、光散乱層と、近赤外線を透過して可視光を吸収するインキからなるＩＲブラック層とが、順次積層された中間転写媒体と、
いずれも熱転写性を有する、少なくともＣ，Ｍ、Ｙ、Ｂｋの４色のインキ層とＩＲブラック層とが、面順次に塗り分けられた熱転写リボンと、
からなる間接転写記録用の熱転写媒体。
【請求項３】
支持体上にオーバレイ層が剥離可能に設けられた中間転写媒体と、
いずれも熱転写性を有する、光散乱層、近赤外線を透過して可視光を吸収するインキからなるＩＲブラック層、少なくともＣ，Ｍ、Ｙ、Ｂｋの４色のインキ層およびＩＲブラック層が、面順次に塗り分けられた熱転写リボンと、
からなる間接転写記録用の熱転写媒体。
【請求項４】
請求項２に記載の熱転写媒体を用いた、間接転写記録方式による情報記録体の製造方法であって、
熱転写リボンから中間転写媒体のオーバレイ層上に、Ｃ、Ｍ、Ｙのインキ層を転写した第１画像形成部とＢｋのインキ層を転写した文字情報形成部を設け、
熱転写リボンから中間転写媒体のＩＲブラック層上に、Ｃ、Ｍ、Ｙのインキ層による第２画像層、Ｂｋのインキ層による個別情報を含むセキュリティパターンとＩＲブラック層による該セキュリティパターンのネガパターンとが組み合わされた隠蔽情報層、を順次転写して積層してセキュリティ形成部を設け、
中間転写媒体を情報記録体に重ね、熱圧転写により第１画像形成部、文字情報形成部、セキュリティ形成部、オーバレイ層を情報記録体に熱圧転写することを特徴とする情報記録体の製造方法。
【請求項５】
請求項３に記載の熱転写媒体を用いた、間接転写記録方式による情報記録体の製造方法であって、
熱転写リボンから中間転写媒体のオーバレイ層上に、光散乱層と、該光散乱層に重ねてＩＲブラック層を転写し、
該ＩＲブラック層以外の部位にＣ、Ｍ、Ｙのインキ層を転写した第１画像形成部とＢｋのインキ層を転写した文字情報形成部を設け、
前記ＩＲブラック層に重ねて、Ｃ、Ｍ、Ｙのインキ層による第２画像層、Ｂｋのインキ層による個別情報を含むセキュリティパターンとＩＲブラック層による該セキュリティパターンのネガパターンとが組み合わされた隠蔽情報層、を順次転写して積層してセキュリティ形成部を設け、
中間転写媒体を情報記録体に重ね、熱圧転写により第１画像形成部、文字情報形成部、セキュリティ形成部、オーバレイ層を情報記録体に熱圧転写することを特徴とする情報記録体の製造方法。
【発明の詳細な説明】
【技術分野】
【０００１】
本発明は、パスポート、ＩＤカード、チケット、通帳等の用紙類に記録されたセキュリティ性を必要とする画像、パターン、文字などの個別情報の偽造、改竄がされにくい情報記録体、間接転写記録方式に適した熱転写媒体、およびそれを用いた情報記録体の製造方法に関する。
【背景技術】
【０００２】
従来、文字や絵柄が種々の方法で印刷された印刷物、特に、パスポートやＩＤカード等の個人認証媒体はじめ、クレジットカード、通帳などセキュリティ性を求められる情報記録体に、通常の顔写真や文字情報の画像以外に、偽造や改ざんを防止するためのセキュリティ性や意匠性を付与するために特殊な視覚効果を有する画像を設けることが行われている。
【０００３】
特殊な視覚効果を有する画像を設ける手法としては、いわゆるホログラムや回折格子などの光学デバイスを転写箔の態様として、記録媒体に貼着することが広く行われている。これらの光学デバイスは、視角による色変化、虹色表示、チェンジング、３Ｄ表示などの特殊な表示効果を呈し、製造には真空プロセスを要するなど難易度が高いことから、偽造防止に一定の効果を有するものとして知られ、広く利用されている。
【０００４】
しかし、これらの光学デバイスは、広く利用される様になったことから類似のものを比較的入手し易く、また製造工程上、情報記録体に個別のパターンを設けることが困難で、同一のパターンを形成できるだけであるため、偽造や改竄の防止効果は限定的なものとなっていた。またこれらの光学デバイスは、偽造防止などの効果を狙って設けられたものであることが明白であるため、逆に偽造や改竄の誘因となる恐れがあった。
【０００５】
また、例えば特許文献１には、透明カード基材に光透過性の異なるインキをパターン印刷し、光を透過させることによりそれぞれのパターンのインキの透過性の差でコントラストを出し、目視で高透過性インキ部分の形状を確認できるようにしたカードが開示されている。しかし特許文献１のカードでは、透明パターンをカードの成形時に印刷しなければならず、固定された図柄等のパターンしか設けられない点は同様であり、また基材に透明カードを用いなければならず、適用範囲が限定されていた。
【０００６】
また、特許文献２には、蛍光インキを用いて潜像画像を形成する手法が開示されているが、特許文献２の蛍光インキによる潜像は、オフセット等の従来の印刷技術を用いて、蛍光物質を含む無色の蛍光インキをカードに印刷し、潜像を形成するものであるが、この方法ではカードに共通の潜像画像を設けるには適しており、カード基材が本物かどうかの識別には良いが、発行されたカードの表示内容が本物かどうかの判別できる様にするためには、カードごとに印刷版を作成する必要があり、現実的でなかった。
【先行技術文献】
【特許文献】
【０００７】
【特許文献１】特許第４７４２７２５号公報
【特許文献２】登録実用新案第３０２９２７３号公報
【発明の概要】
【発明が解決しようとする課題】
【０００８】
本発明はこれらの課題を踏まえてなされたもので、個々の情報記録体に印字されている
情報が真正であるかどうかの真贋判定が可能で、かつ、不正行為の痕跡を残さずに改竄することが困難で、偽造や改竄の誘因となりにくい情報記録体、間接転写記録方式に適した熱転写媒体、およびそれを用いた情報記録体の製造方法を提供するものである。
【課題を解決するための手段】
【０００９】
上記課題を解決するため、本発明の請求項１に係る発明は、
Ｃ、Ｍ、Ｙのインキ層で形成された第１画像形成部、
Ｂｋのインキ層で形成された文字情報形成部、
光散乱層、ＩＲブラック層、Ｃ、Ｍ、Ｙのインキ層で形成された第２画像形成部、Ｂｋのインキ層で形成された個別情報を含むセキュリティパターンとＩＲブラック層による該セキュリティパターンのネガパターンとが組み合わされた隠蔽情報層、が表面側から基材側に順次積層されたセキュリティ形成部、
前記各部を覆うオーバレイ層、
が基材上に設けられていることを特徴とする情報記録体である。
【００１０】
また、本発明の請求項２に係る発明は、
支持体上にオーバレイ層が剥離可能に設けられ、該オーバレイ層上の一部分に、共に熱転写性を有する、光散乱層と、近赤外線を透過して可視光を吸収するインキからなるＩＲブラック層とが、順次積層された中間転写媒体と、
いずれも熱転写性を有する、少なくともＣ，Ｍ、Ｙ、Ｂｋの４色のインキ層とＩＲブラック層とが、面順次に塗り分けられた熱転写リボンと、
からなる間接転写記録用の熱転写媒体である。
【００１１】
また、本発明の請求項３に係る発明は、
支持体上にオーバレイ層が剥離可能に設けられた中間転写媒体と、
いずれも熱転写性を有する、光散乱層、近赤外線を透過して可視光を吸収するインキからなるＩＲブラック層、少なくともＣ，Ｍ、Ｙ、Ｂｋの４色のインキ層およびＩＲブラック層が、面順次に塗り分けられた熱転写リボンと、
からなる間接転写記録用の熱転写媒体である。
【００１２】
また、本発明の請求項４に係る発明は、
請求項２に記載の熱転写媒体を用いた、間接転写記録方式による情報記録体の製造方法であって、
熱転写リボンから中間転写媒体のオーバレイ層上に、
Ｃ、Ｍ、Ｙのインキ層を転写した第１画像形成部とＢｋのインキ層を転写した文字情報形成部を設け、
熱転写リボンから中間転写媒体のＩＲブラック層上に、
Ｃ、Ｍ、Ｙのインキ層による第２画像層、Ｂｋのインキ層による個別情報を含むセキュリティパターンとＩＲブラック層による該セキュリティパターンのネガパターンとが組み合わされた隠蔽情報層、を順次転写して積層してセキュリティ形成部を設け、
中間転写媒体を情報記録体に重ね、熱圧転写により第１画像形成部、文字情報形成部、セキュリティ形成部、オーバレイ層を情報記録体に熱圧転写することを特徴とする情報記録体の製造方法である。
【００１３】
また、本発明の請求項５に係る発明は、
請求項３に記載の熱転写媒体を用いた、間接転写記録方式による情報記録体の製造方法であって、
熱転写リボンから中間転写媒体のオーバレイ層上に、
光散乱層と、該光散乱層に重ねてＩＲブラック層を転写し、
該ＩＲブラック層以外の部位にＣ、Ｍ、Ｙのインキ層を転写した第１画像形成部とＢｋの
インキ層を転写した文字情報形成部を設け、
前記ＩＲブラック層に重ねて、Ｃ、Ｍ、Ｙのインキ層による第２画像層、Ｂｋのインキ層による個別情報を含むセキュリティパターンとＩＲブラック層による該セキュリティパターンのネガパターンとが組み合わされた隠蔽情報層、を順次転写して積層してセキュリティ形成部を設け、
中間転写媒体を情報記録体に重ね、熱圧転写により第１画像形成部、文字情報形成部、セキュリティ形成部、オーバレイ層を情報記録体に熱圧転写することを特徴とする情報記録体の製造方法である。
【発明の効果】
【００１４】
本発明は、情報記録体の製造時に印刷などの手法で設けられる固定パターンだけでなく、ＩＤカードやパスポートなどの高いセキュリティ性が求められる情報記録体に、個人情報や可変情報などの個別情報を、通常の照明条件下では見えないセキュリティパターンとして、セキュリティ性を保持してオンデマンドで記録された情報記録体、間接転写記録用の熱転写媒体、およびその熱転写媒体を使用した情報記録体の製造方法を提供できる。
【００１５】
より具体的には、中間転写媒体に、サーマルヘッドなどの公知の加熱手段により熱転写リボンの各色のカラーインキを熱転写することで、通常のカラー画像と墨文字画像を設けることができると共に、光散乱層と、近赤外線を透過して可視光を吸収するインキからなるＩＲブラック層とが積層された部分をセキュリティ部として、セキュリティ部に、シアン（単にＣとも記す。以下同じ。），マゼンタ（Ｍ）、イエロー（Ｙ）のインキ層により形成された第２画像層と、ブラック（Ｂｋ）のインキ層により形成された個別情報を含むセキュリティパターンとＩＲブラック層による該セキュリティパターンのネガパターンとが組み合わされた隠蔽情報層とを、重ねて転写することで、隠蔽情報層のセキュリティパターンは近赤外線を照射したときにのみ見える態様となり、コピー機等でコピーすることもできず、通常の照明環境下では単に黒色に見えるだけでそこにセキュリティパターンや第２画像層が設けられていること自体が分からないため、偽造や改竄の誘因とならず、偽造や改竄の防止効果が高い。
【００１６】
また仮にセキュリティパターンの改竄を行おうとしても、間接転写記録方式により中間転写媒体から情報記録体に再転写されることで、セキュリティパターンは情報記録体の最内層側となり、改竄の際により上層側の層を破壊してしまうため、またセキュリティパターンは毛抜き合わせでＩＲブラック層のインキとＢｋのインキ層が組み合わされており、改竄の痕跡が残らないように正確に２種のインクを位置合わせするのは困難であるため、改竄されたことが容易に判別できる情報記録体を得ることができる。
【図面の簡単な説明】
【００１７】
【図１】本発明の熱転写媒体の熱転写リボン１の例を示す斜視図。
【図２】本発明の熱転写媒体の組合せの例を示す断面図。
【図３】本発明の熱転写媒体の熱転写リボン７の例を示す斜視図。
【図４】本発明の熱転写媒体の第２の組合せの例を示す断面図。
【図５】本発明の熱転写媒体を用いて１次転写した中間転写箔の例を示す断面模式図。
【図６】本発明の情報記録体の例を示す平面図。
【図７】図６のＡ−Ａ´切断面を示す断面図。
【図８】間接転写記録方式の記録装置の例を示す概念図。
【図９】本発明の情報記録体に強い可視光を透過させた例を示す説明図。
【図１０】本発明の情報記録体に近赤外線を照射し、ＣＣＤカメラで読取りした例を示す説明図。
【発明を実施するための形態】
【００１８】
以下、本発明の実施の形態を、図面を参照しながら詳細に説明する。なお本発明は以下に説明する実施形態に限定されるものではない。また以下において同等の部材等には同一の符号を付して説明を省略することがある。
【００１９】
図１は、本発明の熱転写媒体の熱転写リボン１の例を示す斜視図である。長尺のリボン状の耐熱性の支持体２の表面側に、それぞれ熱転写インキからなるＣ、Ｍ、Ｙ、Ｂｋのインキ層と、近赤外線を透過して可視光を吸収する熱転写インキからなるＩＲブラック層ＩＲ２が面順次に塗り分けられ、ロール状に巻回されている。
【００２０】
支持体２は従来から熱転写リボンに一般に用いられているものを使用することができるが、特に好ましいものとしては、ポリエチレンテレフタレート（ＰＥＴ）、ポリエチレンナフタレート（ＰＥＮ）等のポリエステルフィルムが例示できる。その厚みは２〜５０μｍのものを用いることができるが、より好ましくは２〜１６μｍである。また支持体２の裏面側に、熱転写時の走行性を考慮してバックコート層を設けても良い。
【００２１】
ＩＲブラック層ＩＲ２を構成する熱転写インキは、波長が４００〜７８０ｎｍの可視光の一部の波長領域と波長が７８０〜１４００ｎｍの近赤外線を透過するインクを用いる。一方ブラックＢｋのインキは、波長４００〜１４００ｎｍの光を吸収するインキである。これらのインキは、光の透過部分、吸収部分を妨げない波長のインキであって、かつ同色のものであれば、単独のインキであっても、２種以上の混合物であっても良い。
【００２２】
Ｃ、Ｍ、Ｙの各色のカラーインキは、フルカラー画像を表現するための減色混合の３原色として知られているものを使用できる。また必要に応じてこれ以外の特色インキ層を設けることもできる。
【００２３】
以上の各熱転写インキは、昇華転写型、溶融転写型のいずれのタイプのインキであっても良いが、個人認証用の情報記録体に用いるものとしては、高い耐久性を有する溶融転写型がより好ましい。
【００２４】
図２は、本発明の熱転写媒体の組合せの例を示す断面図である。中間転写媒体６は、支持体３上にオーバレイ層４が剥離可能に設けられており、間接転写記録方式における２次転写の際に支持体３から剥離して情報記録体に転写される。オーバレイ層３は図示したように単層の構成であって良いが、他に剥離保護層、中間層、受像層など、が積層された構成であっても良い。
【００２５】
中間転写媒体６は、２次転写の被転写体である情報記録体の記録面に相当する領域ごとに、その一部に光散乱層５とＩＲブラック層ＩＲ１が積層されている。光散乱層５とＩＲブラック層ＩＲ１が積層されている場所は、２次転写で情報記録体にセキュリティパターンを設ける位置に相当する場所であり、セキュリティ形成部となる場所である。光散乱層５とＩＲブラック層ＩＲ１は、グラビア印刷等の一般的な印刷、コーティングなどの手法で設けることもできる。
【００２６】
図２は模式的な図であり、各熱転写インキ層の面積は、情報記録体の記録面の全面に記録するのに十分な面積として良い。ただし、ＩＲブラック層ＩＲ２は、光散乱層５およびＩＲブラック層ＩＲ１と同等の面積であっても良い。
【００２７】
熱転写リボン１から中間転写媒体６への１次転写は以下のように行われる。熱転写リボン１を中間転写媒体６のオーバレイ層４側に当接して、サーマルヘッドにより熱転写リボン１からＣ、Ｍ、Ｙのカラーインキを熱転写して、中間転写媒体６のセキュリティ形成部
以外の場所に設定される第１画像形成部に、例えば顔写真のようなカラー画像を形成すると共に、ＩＲブラック層ＩＲ１上に第２のカラー画像を転写して第２画像層を設ける。同様にして、文字情報形成部にＢｋのインキを熱転写して文字、記号などの文字情報を形成すると共に、第２画像層上にＢｋのインキを熱転写して氏名、ＩＤ番号など任意の個別情報を含むセキュリティパターンを設ける。次いで、セキュリティパターン上にＩＲブラック層ＩＲ２をセキュリティパターンのネガパターンとなるパターンで熱転写し、ＢｋのインクパターンとＩＲブラック層ＩＲ２のインクパターンが毛抜き合わせ状に組み合わさった隠蔽情報層を形成する。以上の様にして１次転写が行われる。
【００２８】
このとき、セキュリティパターンは、サーマルヘッドの加熱を適宜制御することで任意のパターンとすることができ、情報記録体の記録面ごとに異なるパターン、すなわち個別情報のパターンとすることができる。
【００２９】
図３は、本発明の熱転写媒体の熱転写リボン７の例を示す斜視図である。また図４は本発明の熱転写媒体の第２の組合せの例を示す断面図である。熱転写媒体の各部材等の材料は前述の例と同様のものを使用することができる。
【００３０】
熱転写リボン７は、長尺のリボン状の耐熱性の支持体２の表面側に、それぞれ熱転写性インキからなる光拡散層５、ＩＲブラック層ＩＲ１、Ｃ、Ｍ、Ｙ、Ｂｋのインキ層と、ＩＲブラック層ＩＲ２が面順次に塗り分けられ、ロール状に巻回されている。また中間転写媒体８は、支持体３上にオーバレイ層４が剥離可能に設けられている。
【００３１】
熱転写リボン７から中間転写媒体８への１次転写は以下のように行われる。熱転写リボン７を中間転写媒体８のオーバレイ層４側に当接して、サーマルヘッドにより熱転写リボン７からセキュリティ形成部となる場所に所定の大きさで光拡散層５およびＩＲブラック層ＩＲ１を転写する。次いで、Ｃ、Ｍ、Ｙのカラーインキを熱転写して、中間転写媒体８のセキュリティ形成部以外の場所に設定される第１画像形成部に、例えば顔写真のようなカラー画像を形成すると共に、ＩＲブラック層ＩＲ１上に第２のカラー画像を転写して第２画像層を設ける。同様にして、文字情報形成部にＢｋのインキを熱転写して文字、記号などの文字情報を形成すると共に、第２画像層上にＢｋのインキを熱転写して氏名、ＩＤ番号など任意の個別情報を含むセキュリティパターンを設ける。次いで、セキュリティパターン上にＩＲブラック層ＩＲ２をセキュリティパターンのネガパターンとなるパターンで熱転写し、ＢｋのインクパターンとＩＲブラック層ＩＲ２のインクパターンが毛抜き合わせ状に組み合わさった隠蔽情報層を形成する。間接転写方式の記録装置の記録ヘッドであるサーマルヘッドは、３００ＤＰＩ〜６００ＤＰＩと高精細の記録が行え、ＢｋのインクパターンとＩＲブラック層ＩＲ２のインクパターンを毛抜き合わせ状に組み合わせて行うことが可能である。以上の様にして１次転写が行われる。
【００３２】
図５は、本発明の熱転写媒体を用いて上記の様に１次転写された中間転写媒体の例を示す断面模式図である。上記で説明した２例共に、１次転写後には図５と同様の態様となり、中間転写媒体９のオーバレイ層４上に、第１画像形成部１０、文字情報形成部１１、セキュリティ形成部１２が形成される。第１画像形成部１０は、Ｃ、Ｍ、Ｙのインク層が転写されてカラー画像が形成されており、例えば顔写真のような画像が形成される。文字情報形成部１１は、Ｂｋのインクにより、文字、記号、ロゴ等の情報が単色で記録される。セキュリティ形成部１２は、光拡散層５、ＩＲブラック層ＩＲ１が積層された上に、Ｃ、Ｍ、Ｙのカラーインキによる第２のカラー画像が形成された第２画像層２８が形成され、さらにＢｋのインキによるセキュリティパターンとＩＲブラック層ＩＲ２によるセキュリティパターンのネガパターンが組み合わさって形成された隠蔽情報層２９が形成されている。
【００３３】
ここで、例えば第１画像形成部１０が、Ｃ、Ｍ、Ｙのインク層が並置されているように図示されているのは、第１画像形成部１０が、Ｃ、Ｍ、Ｙのインク層から形成されていることを模式的に示すもので、実際には並置されているわけではなく、他も同様である。
【００３４】
このような態様とした中間転写媒体９を、最終的な記録媒体である情報記録体の記録面に重ね、熱圧を加えてオーバレイ層４を含めて２次転写することで、情報記録体を完成させる。情報記録体の記録面には、接着性を高めるために接着剤層を設けても良い。
【００３５】
図６は、本発明の情報記録体の例を示す平面図であり、上述の様に２次転写が行われた後の情報記録体を通常の照射条件下で見た例を示したものである。情報記録体２１は、ここではパスポートの例であり、第１画像形成部１０に顔写真が記録され、文字情報形成部１１には文字が記録され、セキュリティ形成部１２は表面側にあるＩＲブラック層ＩＲ１が光散乱層５を通して見えるため、全体がほぼ黒色に塗りつぶされた様に見える。そのため、セキュリティ形成部１２に画像や文字などが隠蔽されていること自体が分からないため、偽造や改竄の誘因となることがなく、偽造や改竄を抑制する効果がある。
【００３６】
図６の情報記録体２１を直線Ａ−Ａ´で切断した切断面を図７に示す。基材２０の記録面側に、接着剤層２２を介して第１画像形成部１０、文字情報形成部１１、セキュリティ形成部１２、オーバレイ層４が転写されている。セキュリティ形成部１２には、可視光照射の条件下では外部からは見えないが、内部に前述の様に第２画像層２８と隠蔽情報層２９が形成された態様となる。基材２０は特に限定されないが、パスポートの場合であれば一般的な紙、証券用紙、合成紙、プラスチックシートなどが例示できる。
【００３７】
本発明の熱転写媒体を間接転写記録方式の記録装置に適用することで、本発明の情報記録体を作成することができる。図８は、間接転写記録方式の記録装置の例を示す概念図である。中間転写媒体６、８は中間転写媒体巻出し部１６から１次転写部のサーマルヘッド１５とプラテンローラ１９の間を通過して２次転写部のヒートローラ１８とバックアップローラ３０の間を通り中間転写媒体巻取り部１７に巻き取られる。熱転写リボン１、７は、熱転写リボン巻出し部１３から１次転写部のサーマルヘッド１５とプラテンローラ１９の間を通過して熱転写リボン巻取り部１４に巻き取られる。
【００３８】
１次転写部のサーマルヘッド１５とプラテンローラ１９は、１次転写の際に圧着されて熱転写リボン１、７と中間転写媒体６、８を密着させ、所望の記録情報に応じてサーマルヘッド１５の発熱素子を発熱させて熱転写リボン１、７の熱転写インクを中間転写媒体６、８に転写する。
【００３９】
２次転写部のヒートローラ１８とバックアップローラ３０は、２次転写の際に所望の情報が記録された中間転写媒体６，８と情報記録体２１を挟持して熱圧を加えながら搬送することで、情報記録体２１に第１画像形成部、文字情報形成部、セキュリティ形成部、オーバレイ層を転写する。
【００４０】
次に、本発明の情報記録体に設けられたセキュリティ形成部の検証方法について説明する。図９は、本発明の情報記録体に強い可視光を透過させた例を示す説明図である。通常の照射条件下では、セキュリティ形成部１２の第２画像層２８と隠蔽情報層２９は、ＩＲブラック層ＩＲ１とＩＲブラック層ＩＲ２があるために目視できないが、例えばハロゲンランプのような強力な発光光源で基材の裏面側から照射したときに、基材の材質や厚みなどを選択することで、わずかに透過する光で第２画像層の第２画像２４をうっすらと見える様にすることができるため、この第２画像２４が見えるか否か、という判断基準によって真贋判定の手段とすることができる。
【００４１】
また別の検証方法として、図１０は、本発明の情報記録体に近赤外線を照射し、ＣＣＤカメラで読取りした例を示す説明図である。ＣＣＤカメラには、可視光だけでなく近赤外線を検出できるものが多いため、適用しやすい。本発明の情報記録体２１をＣＣＤカメラ２５で撮像すると、照射された近赤外線はＩＲブラック層ＩＲ１と隠蔽情報層２９のＩＲブラック層ＩＲ２では吸収されず、隠蔽情報層２９のＢｋのインキ層による個別情報を含むセキュリティパターンでのみ吸収された態様で撮像される。その結果をモニター２６などに表示すれば、セキュリティ形成部１２の部位にセキュリティパターンとして設けられた隠蔽画像２７が表示される。従って、隠蔽画像２７が表示されるか否か、という判断基準によって真贋判定の手段とすることができる。
【００４２】
以上説明したように、本発明の熱転写媒体、およびそれを用いた情報記録体は、通常の照明条件では見えないセキュリティパターンを隠蔽画像として設けることができ、偽造や改竄の誘因となることがなく、偽造や改竄がなされた場合もその痕跡があるかどうかを判定しやすい熱転写媒体、およびそれを用いた情報記録体を提供できる。
【実施例】
【００４３】
以下に実施例により本発明をより具体的に説明する。なお、本発明は以下の実施例に限定されるものではない。
【００４４】
＜実施例１＞
〔中間転写媒体の作成〕
図２と同様の中間転写媒体Ａを以下の様にして得た。
厚さ１２μｍのＰＥＴ基材の片面に、
グラビアコーターによりエポキシ系樹脂を厚み０．８μｍに形成してオーバレイ層とし、コンマコーターによりポリエステル系樹脂とフィラーを混合した混合樹脂を一部分に厚み４．０μｍに形成して光拡散層とし、
グラビアコーターによりポリエステル系樹脂とＩＲブラック顔料を混合した混合樹脂を厚み１．０μｍに形成してＩＲブラック層ＩＲ１として重ねた。
【００４５】
（オーバレイ層のインキ組成）
ｊＥＲ１００３（三菱ケミカル株式会社）          ２０重量部
ＭＥＫ／ＴＬ（１：１）                          ８０重量部
【００４６】
（光散乱層のインキ組成）
バイロン５００（東洋紡株式会社）                ２５重量部
サイロホービック１００（富士シリシア株式会社）    ５重量部
ＭＥＫ／ＴＬ（１：１）                          ７０重量部
【００４７】
（ＩＲブラック層のインキ組成）
シアン顔料                                        ２重量部
マゼンタ顔料                                      ２重量部
イエロー顔料                                      ２重量部
バイロン５００（東洋紡株式会社）                １４重量部
ＭＥＫ／ＴＬ（１：１）                          ８４重量部
【００４８】
〔熱転写リボンの作製〕
図２と同様の熱転写リボンＡを以下の様にして得た。
厚さ１２μｍのＰＥＴ基材の片面に、
ポリエステル系樹脂にシアン（Ｃ）、マゼンタ（Ｍ）、イエロー（Ｙ）、ブラック（Ｂｋ）、ＩＲブラック（ＩＲ）の各顔料をそれぞれ混合した混合樹脂を、グラビアコーターにより厚み１．０μｍで面順次に塗り分けて形成した。
【００４９】
（シアンインキの組成）
シアン顔料                                        ５重量部
バイロン５００（東洋紡株式会社）                １５重量部
ＭＥＫ／ＴＬ（１：１）                          ８０重量部
【００５０】
（マゼンタインキの組成）
マゼンタ顔料                                      ５重量部
バイロン５００（東洋紡株式会社）                １５重量部
ＭＥＫ／ＴＬ（１：１）                          ８０重量部
【００５１】
（イエローインキの組成）
イエロー顔料                                      ５重量部
バイロン５００（東洋紡株式会社）                １５重量部
ＭＥＫ／ＴＬ（１：１）                          ８０重量部
【００５２】
（ブラックインキの組成）
カーボンブラック顔料                              ５重量部
バイロン５００（東洋紡株式会社）                １５重量部
ＭＥＫ／ＴＬ（１：１）                          ８０重量部
【００５３】
（ＩＲブラックインキの組成）
中間転写媒体ＡのＩＲブラック層のインキと同様とした。
【００５４】
〔情報記録体の作製〕
上記の中間転写媒体Ａと熱転写リボンＡとを間接転写記録方式のパスポート発行プリンタｅＰ６００（凸版印刷株式会社）に装着し、パスポート用紙を情報記録体として１次転写及び２次転写を行い、情報記録体を得た。
【００５５】
＜実施例２＞
〔中間転写媒体の作成〕
図４と同様の中間転写媒体Ｂを以下の様にして得た。
厚さ１２μｍのＰＥＴ基材の片面に、グラビアコーターによりエポキシ系樹脂を厚み０．８μｍに形成してオーバレイ層とした。
【００５６】
〔熱転写リボンの作製〕
図４と同様の熱転写リボンＢを以下の様にして得た。
厚さ１２μｍのＰＥＴ基材の片面に、
光拡散層、ＩＲブラック層ＩＲ１、Ｃ、Ｍ、Ｙ、Ｂｋ、ＩＲブラック層ＩＲ２の各層を面順次に塗り分けて形成した。
なお、光拡散層はポリエステル系樹脂とフィラーを混合した混合樹脂を厚み４．０μｍにコンマコーターにより形成し、
ＩＲブラック層ＩＲ１、Ｃ、Ｍ、Ｙ、Ｂｋ、ＩＲブラック層ＩＲ２の各層はポリエステル系樹脂にＩＲブラック、シアン、マゼンタ、イエロー、ブラック、ＩＲブラックの各顔料をそれぞれ混合した混合樹脂を厚み１．０μｍにグラビアコーターにより形成した。
【００５７】
〔情報記録体の作製〕
上記の中間転写媒体Ｂと熱転写リボンＢとを用い、実施例１と同様にして情報記録体を得た。
【００５８】
＜比較例１＞
実施例１の中間転写媒体ＡのＩＲブラック層ＩＲ１の部分をブラック（Ｂｋ）に変更することで、セキュリティ形成部に形成した第２画像のＩＲブラック層ＩＲ１をブラック（Ｂｋ）に変更した以外は、実施例１と同様の情報記録体を得た。
【００５９】
＜評価＞
得られた情報記録体に対し、
・真贋判定１  強い可視光照射による第２画像の目視確認
・真贋判定２  ＣＣＤカメラによる隠蔽情報の機械読取り
の２種の方法により真贋判定を行なった。
以上の各実施例、比較例についての評価結果を表１にまとめる。
【００６０】
【表１】
2020199681.tif 000003
【００６１】
実施例１、実施例２、比較例１の情報記録体は、通常の照明条件では見た目に違いはないが、真贋判定を行うと差が出た。本発明の実施例１および実施例２では、２種の真贋判定方法でいずれも良好な判定結果が得られ、高いセキュリティ効果が確認できたのに対し、比較例１においては隠蔽情報の機械読取りができず、判定が行えなかった。
【符号の説明】
【００６２】
１、７・・・熱転写リボン
２、３・・・支持体
Ｃ・・・シアン
Ｍ・・・マゼンタ
Ｙ・・・イエロー
Ｂｋ・・・ブラック
ＩＲ１、ＩＲ２・・・ＩＲブラック層
４・・・オーバレイ層
５・・・光散乱層
６、８、９・・・中間転写媒体
１０・・・第１画像形成部
１１・・・文字情報形成部
１２・・・セキュリティ形成部
１３・・・熱転写リボン巻出し部
１４・・・熱転写リボン巻取り部
１５・・・サーマルヘッド
１６・・・中間転写媒体巻出し部
１７・・・中間転写媒体巻取り部
１８・・・ヒートローラ
１９・・・プラテンローラ
２０・・・情報記録体基材
２１・・・情報記録体
２２・・・接着剤
２３・・・可視光線
２４・・・第２画像
２５・・・ＣＣＤカメラ
２６・・・モニター
２７・・・隠蔽画像
２８・・・第２画像層
２９・・・隠蔽情報層
３０・・・バックアップローラ
１００・・・プリンタ
【図１】
2020199681.tif 000004
【図２】
2020199681.tif 000005
【図３】
2020199681.tif 000006
【図４】
2020199681.tif 000007
【図５】
2020199681.tif 000008
【図６】
2020199681.tif 000009
【図７】
2020199681.tif 000010
【図８】
2020199681.tif 000011
【図９】
2020199681.tif 000012
【図１０】
2020199681.tif 000013